(57)【要約】【課題】タッチパネルの表示の視認性を低下させることなく、タッチパネルとの接触面積を確保可能なスタイラスペンを提供すること。【解決手段】静電容量方式のタッチパネル１００を操作可能なスタイラスペン１として、軸部２１と、軸部２１に設けられ、タッチパネル１００に接触する接触面３０、及び、接触面３０により接触する範囲の一部を視認可能な開口部３２を有する接触部１２と、を備える構成とする。【選択図】図１
2015036894.tif 000002
【特許請求の範囲】
【請求項１】
静電容量方式のタッチパネルを操作可能なスタイラスペンであって、
軸部と、
前記軸部に設けられ、前記タッチパネルに接触する接触面、及び、前記接触面により接触する範囲の一部を視認可能な開口部を具備し、導電性を有する材料で形成された接触部と、
を備えることを特徴とするスタイラスペン。
【請求項２】
前記接触部は、前記接触面が円環状に形成された円筒状に形成され、
前記樹脂材料は弾性変形可能に形成されていることを特徴とする請求項１に記載のスタイラスペン。
【請求項３】
前記接触部は、その前記接触面に近接する外周面に、周方向に延設された溝部を備えることを特徴とする請求項２に記載のスタイラスペン。
【請求項４】
前記接触部は、前記接触面が円環状に形成された板状に形成されていることを特徴とする請求項１に記載のスタイラスペン。
【請求項５】
前記接触部は、前記軸部に弾性部材を介して接続されることを特徴とする請求項４に記載のスタイラスペン。
【請求項６】
前記開口部の中心を案内する案内部を備えることを特徴とする請求項１に記載のスタイラスペン。
【請求項７】
前記案内部は、樹脂フィルムで形成され、前記接触部に接着されることを特徴とする請求項６に記載のスタイラスペン。
【請求項８】
前記案内部は、前記開口部に設けられ、前記接触部と一体に形成されることを特徴とする請求項６に記載のスタイラスペン。
【請求項９】
前記接触面は、一部が切欠する円環状に形成されていることを特徴とする請求項２又は請求項４に記載のスタイラスペン。
【発明の詳細な説明】
【技術分野】
【０００１】
本発明は、静電容量方式のタッチパネルに用いられるスタイラスペンに関する。
【背景技術】
【０００２】
現在、情報処理端末の操作を行う手段として、ディスプレイに静電容量方式のタッチパネルが設けられたタッチパネルディスプレイが採用された情報処理端末が知られている。この静電容量方式のタッチパネルは、情報処理端末として、スマートフォン、携帯電話、タブレット端末、携帯ゲーム機、及び、カーナビゲーション等に用いられる。
【０００３】
静電容量方式のタッチパネルは、その表面に指又はスタイラスペン等の導電性を有する操作手段を接触させることで発生する静電容量の変化を捉えて、操作手段が接触した位置を検出する。このような静電容量方式のタッチパネルを用いた情報処理端末として、ペンを用いた正確な入力が可能な技術も知られている（例えば、特許文献１及び特許文献２参照）。
【０００４】
このような情報処理端末においては、微細な範囲を操作する場合や、手書き入力等の細かい操作が要求される場合には、スタイラスペンを用いた操作が多用される。
【先行技術文献】
【特許文献】
【０００５】
【特許文献１】特開２０１０−５５２６０号公報
【特許文献２】特開２０１０−６１３５１号公報
【発明の概要】
【発明が解決しようとする課題】
【０００６】
上述した情報処理端末に用いられるスラスタペンでは、以下の問題があった。即ち、静電容量方式のタッチパネルは、接触面積が所定の面積を確保できないと、正しく感知されない、という問題がある。
【０００７】
このため、スタイラスペンは、所定の面積を確保可能とするためにその先端の形状が、鉛筆やボールペン等の一般的な筆記具の先端の形状よりも大きく形成されている。しかし、スタイラスペンの先端の形状が大きくなると、タッチパネルの操作を行う範囲の表示がスタイラスペンの先端によって覆われることから、当該タッチパネルの表示の視認性を低下させる、という問題がある。具体的には、スタイラスペンの先端の形状が大きくなると、スタイラスペンを接触させる際に、操作を行う位置のタッチパネルの表示が視認できずに、操作を行う位置からずれた位置を操作する虞があった。
【０００８】
そこで本発明は、タッチパネルの表示の視認性を低下させることなく、タッチパネルとの接触面積を確保可能なスタイラスペンを提供することを目的としている。
【課題を解決するための手段】
【０００９】
前記課題を解決し目的を達成するために、本発明のスタイラスペンは次のように構成されている。
【００１０】
本発明の一態様のスタイラスペンは、静電容量方式のタッチパネルを操作可能なスタイラスペンであって、軸部と、前記軸部に設けられ、前記タッチパネルに接触する接触面、及び、前記接触面により接触する範囲の一部を視認可能な開口部を有する接触部と、を備える。
【発明の効果】
【００１１】
本発明によれば、タッチパネルの表示の視認性を低下させることなく、タッチパネルとの接触面積を確保可能なスタイラスペンを提供することが可能となる。
【図面の簡単な説明】
【００１２】
【図１】本発明の第１の実施形態に係るスタイラスペンの構成を示す断面図。
【図２】同スタイラスペンの要部構成を拡大して示す斜視図。
【図３】本発明の第２の実施形態に係るスタイラスペンの構成を示す断面図。
【図４】同スタイラスペンの要部構成を示す平面図。
【図５】本発明の第３の実施形態に係るスタイラスペンの構成を示す断面図。
【図６】同スタイラスペンの要部構成を示す平面図。
【図７】本発明の第４の実施形態に係るスタイラスペンの構成を示す断面図。
【図８】同スタイラスペンの要部構成を示す平面図。
【図９】本発明の第５の実施形態に係るスタイラスペンの要部構成を示す平面図。
【図１０】本発明の第６の実施形態に係るスタイラスペンの構成を示す断面図。
【図１１】同スタイラスペンの要部構成を分解して一部断面で示す平面図。
【図１２】本発明の第７の実施形態に係るスタイラスペンの構成を示す断面図。
【図１３】同スタイラスペンの要部構成を示す平面図。
【図１４】同スタイラスペンの要部構成を示す断面図。
【発明を実施するための形態】
【００１３】
（第１の実施形態）
以下、本発明の第１の実施形態に係るスタイラスペン１を、図１及び図２を用いて説明する。  
図１は、本発明の第１の実施形態に係るスタイラスペン１の構成を示す断面図、図２は、スタイラスペン１の要部構成、具体的には、スタイラスペン１の先端の構成を示す斜視図である。
【００１４】
図１に示すように、スタイラスペン１は、静電容量方式のタッチパネル１００を有するタッチパネルディスプレイを備えた情報処理端末の、タッチパネル１００を操作可能に形成されている。
【００１５】
スタイラスペン１は、胴部１１と、接触部１２と、を備えている。胴部１１は、軸部２１と、軸部２１の一端に形成された接触部１２を固定する固定部２２と、軸部２１の他端を閉塞するキャップ２３と、軸部２１の他端の外周面に設けられたクリップ２４と、を備えている。
【００１６】
胴部１１は、例えば、円筒状の金属の管体の端部側の一部を切欠することで軸部２１及び固定部２２が形成される。また、胴部１１は、軸部２１の軸心に対して固定部２２の軸心が傾斜するように、当該管体の切欠した部位を曲折させることで形成される。具体的には、胴部１１は、軸部２１及び固定部２２の軸心が交差するように、軸部２１及び固定部２２を連続する連続部２５を介して一体に形成される。
【００１７】
軸部２１は、筆記具を握る如く、使用者によって握ることが可能に形成されている。軸部２１は、その一端が円状に開口して形成され、キャップ２３が嵌合される。また、軸部２１は、その一端の外周面の一部にクリップ２４が設けられる。
【００１８】
軸部２１は、その他端が、その軸心に対して傾斜して略楕円状に開口する。また、軸部２１は、その他端の一部に固定部２２と連続する連続部２５が一体に設けられる。軸部２１は、その他端の開口の開口端（開口面）２１ａの面方向が、固定部２２の軸方向と同一方向、又は、連続部２５を中心に、固定部２２の軸心に対して離間する方向に傾斜して配置される。
【００１９】
固定部２２は、円筒状に形成され、接触部１２を固定可能に形成されている。固定部２２は、例えば、その内周面に、円環状に突出する突出部２８が形成されている。この突出部２８は、例えば、固定部２２内に、円筒状であって、一方の端部が中心に向って円環状に突出する環状部材２７が嵌合されることで形成される。換言すると、固定部２２は、その内周部に、突出部２８が形成された環状部材２７を有している。
【００２０】
接触部１２は、弾性変形可能な、導電性を有する樹脂材料で形成されている。接触部１２は、例えば、略中心に開口部３２を有する円筒状に形成され、その一端側が、固定部２２の突出部２８と嵌合可能に形成されている。また、接触部１２は、その他端側が、固定部２２から突出するとともに、その他端面がタッチパネル１００と接触する接触面３０を構成する。接触部１２は、接触面３０に近接する外周面に、溝部３１を有している。
【００２１】
開口部３２は、例えば、その一端側、さらに言えば、固定部２２に固定される側の端面から接触面３０に向って漸次縮径するとともに、その中途部から同一径に形成される。
【００２２】
このように構成されたスタイラスペン１によれば、導電性を有する接触部１２をタッチパネル１００に接触させることで、タッチパネル１００を操作することが可能となる。
【００２３】
スタイラスペン１は、接触部１２に開口部３２を設ける構成とすることで、タッチパネル１００の操作を行う位置、即ち接触面３０が接触することで外部指示の入力を行う位置を、当該開口部３２から視認することが可能となる。また、スタイラスペン１は、軸部２１の開口端２１ａの面方向を、固定部２２の軸心と同一方向又は当該軸心から離間する方向とすることで、接触部１２に形成された開口部３２の上方に軸部２１が位置することを防止可能となる。
【００２４】
これにより、スタイラスペン１は、開口部３２の視認性を確保可能となり、スタイラスペン１の入力位置の確認が容易となる。結果、スタイラスペン１は、誤入力を防止可能となり、操作の信頼性の向上及び入力時の使用者の安心感を向上することも可能となる。
【００２５】
スタイラスペン１は、接触部１２を円筒状とし、その円環状の端面である接触面３０によりタッチパネル１００を操作する構成とすることで、タッチパネル１００に接触する接触面３０の接触面積を確保することが可能となる。
【００２６】
また、スタイラスペン１は、接触部１２の接触面３０に近接する外周面に溝部３１を設けることで、接触面３０及び溝部３１間の接触部１２の剛性を低下させ、変形を容易とすることが可能となる。即ち、接触面３０がタッチパネル１００に接触した際に、接触面３０の面方向がタッチパネル１００の面方向に対して傾斜していても、接触面３０を変形させ、タッチパネル１００に接触面３０が面で接触すること、換言すると接触面積を増加させることが可能となる。これらのことにより、スタイラスペン１は、高い操作性及び応答性を得ることが可能となる。
【００２７】
上述したように、本発明の第１の実施形態に係るスタイラスペン１は、開口部３２によりタッチパネル１００への入力位置の視認性を低下させることなく、タッチパネル１００との接触面積を確保可能となる。
【００２８】
（第２の実施形態）
以下、本発明の第２の実施形態に係るスタイラスペン１Ａを、図３及び図４を用いて説明する。  
図３は本発明の第２の実施形態に係るスタイラスペン１Ａの要部構成、具体的には固定部２２、接触部１２及び案内部１３を示す断面図、図４はスタイラスペン１Ａの要部構成、具体的には、接触部１２に用いられる案内部１３の構成を示す平面図である。なお、第２の実施形態に係るスタイラスペン１Ａの構成中、第１の実施形態に係るスタイラスペン１と同様の構成には同一符号を付し、その詳細な説明は省略する。
【００２９】
図３に示すように、スタイラスペン１Ａは、静電容量方式のタッチパネル１００を有するタッチパネルディスプレイを備えた情報処理端末の、タッチパネル１００を操作可能に形成されている。
【００３０】
スタイラスペン１Ａは、胴部１１と、接触部１２と、案内部１３と、を備えている。案内部１３は、例えば、透明の樹脂フィルムにより形成され、接触部１２の端面、例えば、上方に位置する端面、さらに言えば、接触面３０と相対する端面に形成される。
【００３１】
案内部１３は、接触部１２の開口部３２の略中心を案内可能に形成されている。図４に示すように、例えば、案内部１３は、円状に形成され、その一方の主面の外周縁に設けられた接着部３５と、一点鎖線等がインキ等によって表示された表示部３６と、を備えている。案内部１３は、接着部３５に接着剤等が塗布され、接触部１２に接着される。また、案内部１３は、接触部１２に接着されることで、開口部３２の中心を案内する。
【００３２】
このように構成されたスタイラスペン１Ａによれば、上述したスタイラスペン１と同様に、開口部３２によりタッチパネル１００への入力位置の視認性を低下させることなく、タッチパネル１００との接触面積を確保可能となる。
【００３３】
また、スタイラスペン１Ａは、案内部１３により開口部３２の略中心を案内することで、接触面３０が接触したときに、接触面３０により選択されるタッチパネル１００の位置を案内すること可能となる。これにより、スタイラスペン１Ａは、タッチパネル１００の操作性を向上することが可能となる。
【００３４】
（第３の実施形態）
以下、本発明の第３の実施形態に係るスタイラスペン１Ｂを、図５及び図６を用いて説明する。  
図５は、本発明の第３の実施形態に係るスタイラスペン１Ｂの構成を示す断面図、図６は、スタイラスペン１Ｂの要部構成、具体的には、スタイラスペン１Ｂの先端の構成を示す上面図である。
【００３５】
図５に示すように、スタイラスペン１Ｂは、静電容量方式のタッチパネル１００を有するタッチパネルディスプレイを備えた情報処理端末の、タッチパネル１００を操作可能に形成されている。
【００３６】
スタイラスペン１Ｂは、胴部５１と、接触部５２と、連結部材５３と、を備えている。胴部５１は、円柱状に形成された軸部６１と、軸部６１の一端に形成され、連結部材５３が固定される第１固定部６２と、を備えている。
【００３７】
胴部５１は、例えば、円柱状の金属材料により軸部６１が形成されるとともに、軸部６１の一端に第１固定部６２が形成される。胴部５１は、軸部６１及び第１固定部６２が、同一軸心上に形成される。
【００３８】
軸部６１は、筆記具を握る如く、使用者によって握ることが可能に形成されている。
【００３９】
第１固定部６２は、軸部６１の一端に形成される。第１固定部６２は、軸部６１よりも小径の円柱状に形成されている。
【００４０】
接触部５２は、円板状に形成されている。具体的には、接触部５２は、その一端面に形成されたタッチパネル１００に接触する円環部７１と、円環部７１の一部に一体に設けられ、連結部材５３が固定される第２固定部７２と、を備えている。接触部５２は、導電性を有する材料、例えば金属材料により形成される。
【００４１】
図５及び図６に示すように、円環部７１は、円板状に形成され、その一端面に形成されたタッチパネル１００と接触する円環状に形成された接触面７３と、その略中心に設けられた開口部７４と、開口部７４に設けられた案内部７５と、を備えている。
【００４２】
接触面７３は、平坦に形成されている。開口部７４は、円環部７１の中心をその中心とする円状に形成される。案内部７５は、開口部７４に設けられ、開口部７４の中心、さらに言えば、接触面７３の中心を案内可能に形成されている。例えば、案内部７５は、開口部７４の中心から等間隔に三方向に延設されるとともに、円環部７１の開口部７４の内周面と一体に形成されている。
【００４３】
第２固定部７２は、円環部７１から突出して板状に形成され、連結部材５３に固定可能に形成されている。第２固定部７２は、その幅が、第１固定部６２の外径と略同一寸法に形成されている。
【００４４】
このような接触部５２は、板状の金属材料から、打ち抜き加工によって、図６に示すように、開口部７４及び案内部７５を有する円環部７１並びに第２固定部７２が形成される。接触部５２は、打ち抜き加工後、第２固定部７２の面方向を円環部７１の面方向に対して傾斜するように、円環部７１及び第２固定部７２間を曲げ加工することで、形成される。
【００４５】
連結部材５３は、胴部５１に接触部５２を接続可能に形成されている。具体的には、連結部材５３は、その両端が第１固定部６２及び第２固定部７２に嵌合することで胴部５１及び接触部５２に固定されるコイルばね５３である。コイルばね５３は、その内径が第１固定部６２の外径及び第２固定部６２の幅と略同一又は若干小さく形成され、第１固定部６２及び第２固定部７２に嵌合可能に形成されている。
【００４６】
このように構成されたスタイラスペン１Ｂによれば、タッチパネル１００の操作において、接触部５２の接触面７３をタッチパネル１００に接触させることで、タッチパネル１００を操作することが可能となる。
【００４７】
スタイラスペン１Ｂは、その接触部５２に開口部７４及び案内部７５を設ける構成とすることで、スタイラスペン１Ｂが操作するタッチパネル１００の位置を、当該開口部７４から視認可能、且つ、案内部７５により案内可能となる。
【００４８】
スタイラスペン１Ｂは、第２固定部７２の面方向を円環部７１の面方向に対して傾斜させることで、円環部７１の面方向に対して、胴部５１及び連結部材５３の軸心方向が傾斜する。これにより、スタイラスペン１Ｂは、接触部５２の開口部７４の上方に胴部５１が位置することを防止可能となり、開口部７４の視認性を確保し、スタイラスペン１Ｂの入力位置の確認が容易となる。
【００４９】
スタイラスペン１Ｂは、接触面７３を円環状とすることで、タッチパネル１００に接触する接触面積を確保することが可能となり、高い応答性が可能となる。また、スタイラスペン１Ｂは、胴部５１及び接触部５２を連結する連結部材５３にコイルばね５３を用いる構成により、接触面７３の面方向と胴部５１の軸心方向との角度が可変可能となる。これにより、スタイラスペン１Ｂは、胴部５１の傾斜角度に係らず、コイルばね５３が弾性変形することで、確実に、接触部５２の接触面７３をタッチパネル１００に接触させることが可能となる。
【００５０】
上述したように、本発明の第３の実施形態に係るスタイラスペン１Ｂは、開口部７４によりタッチパネル１００への入力位置の視認性を低下させることなく、タッチパネル１００との接触面積を確保可能となる。
【００５１】
（第４の実施形態）
以下、本発明の第４の実施形態に係るスタイラスペン１Ｃを、図７及び図８を用いて説明する。  
図７は本発明の第４の実施形態に係るスタイラスペン１Ｃの構成を示す断面図、図８はスタイラスペン１Ｃの要部構成、具体的には、スタイラスペン１Ｃの接触部５２Ｃの構成を示す上面図である。なお、第４の実施形態に係るスタイラスペン１Ｃの構成中、第３の実施形態に係るスタイラスペン１Ｂと同様の構成には同一符号を付し、その詳細な説明は省略する。
【００５２】
図７に示すように、スタイラスペン１Ｃは、静電容量方式のタッチパネル１００を有するタッチパネルディスプレイを備えた情報処理端末の、タッチパネル１００を操作可能に形成されている。
【００５３】
スタイラスペン１Ｃは、胴部５１と、接触部５２Ｃと、連結部材５３と、を備えている。
【００５４】
接触部５２Ｃは、その一端面に形成されたタッチパネル１００に接触する円環部７１Ｃと、円環部７１Ｃの一部に一体に設けられ、連結部材５３が固定される第２固定部７２Ｃと、を備えている。接触部５２Ｃは、導電性を有する材料、例えば金属材料により形成される。
【００５５】
円環部７１Ｃは、タッチパネル１００と接触する接触面７３と、その略中心に設けられた開口部７４と、開口部７４に設けられた案内部７５Ｃと、を備えている。案内部７５Ｃは、開口部７４に設けられ、開口部７４の中心、さらに言えば、接触面７３の中心を案内可能に形成されている。例えば、案内部７５Ｃは、開口部７４の中心から等間隔に四方向に延設されるとともに、円環部７１Ｃの開口部７４の内周面と一体に形成されている。
【００５６】
第２固定部７２Ｃは、円環部７１Ｃの一部から、円環部７１Ｃの面方向に対して傾斜して突出する円柱状に形成され、連結部材５３に固定可能に形成されている。第２固定部７２Ｃは、その外径が、第１固定部６２の外径と略同一寸法に形成されている。このような接触部５２Ｃは、成型や鋳造等により形成される。
【００５７】
このように構成されたスタイラスペン１Ｃによれば、上述したスタイラスペン１Ｂと同様に、タッチパネル１００の操作において、接触部５２Ｃの接触面７３をタッチパネル１００に接触させることで、タッチパネル１００を操作することが可能となる。また、スタイラスペン１Ｃは、開口部７４によりタッチパネル１００への入力位置の視認性を低下させることなく、タッチパネル１００との接触面積を確保可能となる。
【００５８】
（第５の実施形態）
以下、本発明の第５の実施形態に係るスタイラスペン１Ｃの接触部５２Ｄを、図９を用いて説明する。  
図９は本発明の第５の実施形態に係るスタイラスペン１Ｃに用いられる接触部５２Ｄの構成を示す断面図である。なお、第５の実施形態に係るスタイラスペン１Ｃの構成中、第４の実施形態に係るスタイラスペン１Ｃと同様の構成には同一符号を付し、その詳細な説明は省略する。また、第５の実施形態に係るスタイラスペン１Ｃは、接触部５２Ｄの構成以外、第４の実施形態に係るスタイラスペン１Ｃと同一の構成であることから、その詳細な構成は省略する。
【００５９】
図９に示すように、スタイラスペン１Ｃに用いられる接触部５２Ｄは、その一端面に形成されたタッチパネル１００に接触するとともに、その一部が切欠する円環部７１Ｄと、円環部７１Ｄの一部に一体に設けられ、連結部材５３が固定される第２固定部７２Ｃと、を備えている。接触部５２Ｄは、導電性を有する材料、例えば金属材料により形成される。
【００６０】
円環部７１Ｄは、環状であって、その一部が切欠することで、Ｃ字状に形成される。円環部７１Ｄは、タッチパネル１００と接触する、Ｃ字状の接触面と、その略中心に設けられた開口部７４と、開口部７４に設けられた案内部７５と、を備えている。
【００６１】
このように構成されたスタイラスペン１Ｃに用いられる接触部５２Ｄは、上述した第４の実施形態に係るスタイラスペン１Ｃの接触部５２Ｃと同様に、タッチパネル１００の操作において、接触部５２Ｄの接触面をタッチパネル１００に接触させることで、タッチパネル１００を操作することが可能となる。また、スタイラスペン１Ｃは、開口部７４及び円環部７１Ｄの切欠により、円環部７１Ｄ上の開口する面積を向上させ、タッチパネル１００への入力位置の視認性を向上可能、且つ、タッチパネル１００との接触面積を確保可能となる。
【００６２】
（第６の実施形態）
以下、本発明の第６の実施形態に係るスタイラスペン１Ｅを、図１０及び図１１を用いて説明する。
【００６３】
図１０は本発明の第６の実施形態に係るスタイラスペン１Ｅの構成を示す断面図、図１１はスタイラスペン１Ｅの構成を分解して一部断面で示す平面図である。
【００６４】
図１０に示すように、スタイラスペン１Ｅは、静電容量方式のタッチパネル１００を有するタッチパネルディスプレイを備えた情報処理端末の、タッチパネル１００を操作可能に形成されている。
【００６５】
スタイラスペン１Ｅは、胴部８１と、接触部８２と、連結部材８３と、を備えている。胴部８１は、円筒状に形成され、その一端に、連結部材８３が固定される。胴部８１は、例えば、円筒状の金属材料により形成される。胴部８１は、筆記具を握る如く、使用者によって握ることが可能に形成されている。
【００６６】
接触部８２は、円板状に形成されている。具体的には、接触部８２は、タッチパネル１００に接触する円環部８５と、円環部８５の一部に一体に設けられ、連結部材８３が固定される固定部８６と、を備えている。接触部８２は、連続部８２ａにより、円環部８５及び固定部８６が連続して一体に形成される。接触部８２は、導電性を有する材料、例えば金属材料により形成される。また、接触部８２は、円環部８５及び固定部８６が一体に形成されている。
【００６７】
図１０及び図１１に示すように、円環部８５は、その一端面に形成されたタッチパネル１００と接触する円環状に形成された接触面８８と、その略中心に設けられた開口部８９と、開口部８９に設けられた案内部９０と、を備えている。
【００６８】
接触面８８は、平坦に形成されている。開口部８９は、円環部８５と同軸の円状に形成される。換言すると、円環部８５は、開口部８９が形成されることで、接触面８８が環状に形成される。案内部９０は、開口部８９に設けられ、開口部８９の中心、さらに言えば、接触面８８の中心を案内可能に形成されている。例えば、案内部９０は、開口部８９の中心からＴ字状に三方向に延設されるとともに、円環部８５の開口部８９の内周面と一体に形成されている。
【００６９】
固定部８６は、円環状に形成されている。具体的には、図１０及び図１１に示すように、固定部８６は、その略中心に設けられ、開口部８９と同一形状に形成された開口部９１と、開口部９１に設けられた突起部９２と、を備えている。固定部８６は、外周縁の一部が円環部８５の外周縁の一部と連続部８２ａを介して一体に形成される。
【００７０】
突起部９２は、開口部９１の内周面の一部に形成される。突起部９２は、開口部９１の中心を越えて、対向する内周面の一部に向って延設される。また、突起部９２は、開口部９１の中心をその中心とする円状の挿入孔９２ａを備えている。挿入孔９２ａは、連結部材８３の一部を挿入可能に形成されている。
【００７１】
このような接触部８２は、図１１に示すように、板状の金属材料が抜き加工等によって円環部８５及び固定部８６が連続部８２ａを介して一体の、平板状に形成される。また、接触部８２は、打ち抜き加工後、連続部８２ａを折り曲げることで、円環部８５及び固定部８６が積層される円板状に形成される。
【００７２】
なお、接触部８２は、折り曲げ加工後、円環部８５及び固定部８６が、接着剤による接着、溶接若しくは蝋付け、又は、クランプ若しくは締結部材等の機械的結合により、一体に固定される。但し、接触部８２は、接着剤による接着等の簡易な方法により固定されることが好ましく、以下接着剤を用いた接着を行う構成を用いて説明する。
【００７３】
連結部材８３は、導電性を有する金属材料により形成され、胴部８１に接触部８２を接続可能に形成されている。具体的には、連結部材８３は、胴部８１に接続される第１連結部９３と、接触部８２に接続される第２連結部９４と、第１連結部９３及び第２連結部９４を接続する第５連結部９５と、を備えている。第１連結部９３は、胴部８１に固定され、先端に向って漸次縮径する円錐筒状に形成されている。
【００７４】
第２連結部９４は、挿入孔９２ａの内径と同一径又は若干大径に形成された軸部９４ａと、軸部９４ａの先端に設けられ、挿入孔９２ａの内径及び軸部９４ａの外形よりも大径に形成された球状の支持部９４ｂと、を備えている。
【００７５】
第３連結部９５は、円筒状に形成され、その外周面が第１連結部９３の先端の開口に嵌合可能、且つ、その内周面に第２連結部９４の軸部９４ａを嵌合可能に形成されている。
【００７６】
このように構成されたスタイラスペン１Ｅの組立て方法について説明する。図１１に示すように、スタイラスペン１Ｅは、先ず、胴部８１に第１連結部９３を接続し、且つ、第１連結部９３に第３連結部９５を接続する。
【００７７】
また、第２連結部９４の軸部９４ａを、接触部８２の固定部８６の突起部９２の挿入孔９２ａに、固定部８６の円環部８５と対向する面側から挿入する。これにより、第２連結部９４は、支持部９４ｂが挿入孔９２ａの内周縁と当接する。即ち、支持部９４ｂが挿入孔９２ａの内周縁と干渉し、第２連結部９４の移動が規制される。
【００７８】
次に、接触部８２の連続部８２ａを折り曲げ加工し、円環部８５及び固定部８６を対向させるとともに、円環部８５及び固定部８６の対向する面間に接着剤を塗布し、円環部８５及び固定部８６を接着して固定する。これにより、図１０に示すように、突起部９２は、挿入孔９２ａの内周縁が支持部９４ｂに押圧されるため、円環部８５から離間するように撓み、突起部９２自身の復元力により、支持部９４ｂ（第２連結部９４）を円環部８５側に押圧する。
【００７９】
これにより、第２連結部９４は、球状の支持部９４ｂの一部が、円環部８５の案内部９０に接触し、結果、案内部９０の一部及び突起部９２の挿入孔９２ａの内周縁と所定の圧力で押圧されて支持される。また、第２連結部９４は、支持部９４ｂを回動させても、支持部９４ｂの外面が案内部９０及び挿入孔９２ａの内周縁との接触が維持される。結果、第２連結部９４は、接触部８２に支持されるとともに、接触部８２に対して傾斜可能に、接触部８２に一体に組み立てられる。
【００８０】
次に、第２連結部９４の軸部９４ａを第３連結部９５に嵌合することで、第２連結部９４が第３連結部９５に接続され、スタイラスペン１Ｅが組み立てられる。
【００８１】
このように構成されたスタイラスペン１Ｅによれば、タッチパネル１００の操作において、接触部８２の接触面８８をタッチパネル１００に接触させることで、タッチパネル１００を操作することが可能となる。
【００８２】
スタイラスペン１Ｅは、その接触部８２に開口部８９及び案内部９０を設ける構成とすることで、スタイラスペン１Ｅが操作するタッチパネル１００の位置を、当該開口部８９から視認可能、且つ、案内部９０により案内可能となる。
【００８３】
スタイラスペン１Ｅは、第２連結部９４の支持部９４ｂを球状とし、この支持部９４ｂを接触部８２により複数個所で、具体的には案内部９０及び突起部９２の挿入孔９２ａで支持することで、第２連結部９４を接触部８２に対して任意の角度に可変可能となる。
【００８４】
これにより、スタイラスペン１Ｅは、接触部８２の接触面８８をタッチパネル１００に接触させた状態で、胴部８１のタッチパネル１００に対する傾斜角度を変更することが可能となり、確実に、接触部５２の接触面７３をタッチパネル１００に接触させることが可能となる。また、スタイラスペン１Ｅは、使用者の好ましい傾斜角度で使用可能となることで、使用性の向上、及び、開口部８９の視認性の確保が可能となる。結果、スタイラスペン１Ｅの入力位置の確認が容易となる。
【００８５】
また、スタイラスペン１Ｅは、接触面８８を円環状とすることで、タッチパネル１００に接触する接触面積を確保することが可能となり、高い応答性が可能となる。
【００８６】
上述したように、本発明の第６の実施形態に係るスタイラスペン１Ｅは、開口部８９によりタッチパネル１００への入力位置の視認性を低下させることなく、タッチパネル１００との接触面積を確保可能となる。
【００８７】
（第７の実施形態）
以下、本発明の第７の実施形態に係るスタイラスペン１Ｆを、図１２乃至図１４を用いて説明する。
【００８８】
図１２は本発明の第７の実施形態に係るスタイラスペン１Ｆの構成を示す断面図、図１３はスタイラスペン１Ｆの要部構成、具体的には、スタイラスペン１Ｆに用いられる接触部８２Ｆの構成を示す上面図、図１４は接触部８２Ｆの構成を示す断面図である。なお、第７の実施形態に係るスタイラスペン１Ｆ中、上述した第６の実施形態に係るスタイラスペン１Ｅと同等の構成には同一符号を付し、その詳細な説明は省略する。
【００８９】
図１２に示すように、スタイラスペン１Ｆは、静電容量方式のタッチパネル１００を有するタッチパネルディスプレイを備えた情報処理端末の、タッチパネル１００を操作可能に形成されている。
【００９０】
スタイラスペン１Ｆは、胴部８１と、接触部８２Ｆと、連結部材８３と、を備えている。
【００９１】
接触部８２Ｆは、円板状に形成されている。具体的には、接触部８２Ｆは、タッチパネル１００に接触する円環部８５と、円環部８５の一部に一体に設けられ、連結部材８３が固定される固定部８６Ｆと、を備えている。接触部８２Ｆは、導電性を有する材料、例えば樹脂材料により形成される。また、接触部８２Ｆは、成型加工等によって円環部８５及び固定部８６Ｆが一体に形成されている。
【００９２】
図１３及び図１４に示すように、円環部８５は、その一端面に形成されたタッチパネル１００と接触する円環状に形成された接触面８８と、その略中心に設けられた開口部８９と、開口部８９に設けられた案内部９０と、を備えている。
【００９３】
接触面８８は、平坦に形成されている。開口部８９は、円環部８５と同軸の円状に形成される。案内部９０は、開口部８９に設けられ、開口部８９の中心、さらに言えば、接触面８８の中心を案内可能に形成されている。例えば、案内部９０は、開口部８９の中心から等間隔に三方向に延設されるとともに、円環部８５の開口部８９の内周面と一体に形成されている。
【００９４】
図１４に示すように、固定部８６Ｆは、有底円筒状に形成されている。具体的には、固定部８６Ｆは、案内部９０の略中心に設けられ、その内径が支持部９４ｂの外径と略同一径に形成されるとともに、その開口端の内径が縮径して形成される。また、固定部８６Ｆは、その底面が、支持部９４ｂと略同一の曲率半径を有して形成されている。
【００９５】
このように構成されたスタイラスペン１Ｆは、胴部８１に第１連結部９３、第２連結部９４及び第３連結部９５を接続し、その後、支持部９４ｂを固定部８６Ｆに嵌入する。これにより、第２連結部９４が固定部８６Ｆに支持され、結果、第２連結部９４は、接触部８２Ｆに支持されるとともに、接触部８２Ｆに対して可変するように、接触部８２Ｆに一体に組み立てられる。
【００９６】
このように構成されたスタイラスペン１Ｆによれば、タッチパネル１００の操作において、接触部８２の接触面８８をタッチパネル１００に接触させることで、タッチパネル１００を操作することが可能となる。
【００９７】
スタイラスペン１Ｆは、その接触部８２Ｆに開口部８９及び案内部９０を設ける構成とすることで、スタイラスペン１Ｆが操作するタッチパネル１００の位置を、当該開口部８９から視認可能、且つ、案内部９０により案内可能となる。
【００９８】
スタイラスペン１Ｆは、第２連結部９４の支持部９４ｂを球状とし、この支持部９４ｂを接触部８２Ｆの固定部８６Ｆに嵌合させることで、第２連結部９４を接触部８２に対して移動可能に固定される。また、固定部８６Ｆの開口端を縮径するとともに、その底面形状を支持部９４ｂと略同一の曲率半径とすることで、支持部９４ｂは、面で固定部８６Ｆと当接する。第２連結部９４は、面により固定部８６Ｆに支持されるとともに、導電性を確保することが可能となる。
【００９９】
これにより、スタイラスペン１Ｆは、接触部８２の接触面８８をタッチパネル１００に接触させた状態で、胴部８１のタッチパネル１００に対する傾斜角度を変更することが可能となり、確実に、接触部５２の接触面７３をタッチパネル１００に接触させることが可能となる。また、スタイラスペン１Ｆは、使用者の好ましい傾斜角度で使用可能となることで、使用性の向上、及び、開口部８９の視認性の確保が可能となる。結果、スタイラスペン１Ｆの入力位置の確認が容易となる。
【０１００】
また、スタイラスペン１Ｆは、接触面８８を円環状とすることで、タッチパネル１００に接触する接触面積を確保することが可能となり、高い応答性が可能となる。
【０１０１】
上述したように、本発明の第７の実施形態に係るスタイラスペン１Ｆは、開口部８９によりタッチパネル１００への入力位置の視認性を低下させることなく、タッチパネル１００との接触面積を確保可能となる。
【０１０２】
なお、本発明は前記実施の形態に限定されるものではない。例えば、上述した例では、スタイラスペン１，１Ａ，１Ｂ，１Ｃ，１Ｅ，１Ｆは、タッチパネル１００に接触する接触面３０，７３，８８を、円環状とする構成を説明したがこれに限定されない。例えば、接触面は、円環部７１Ｄと同様に、環状の一部が切欠する形状であってもよい。具体的には、接触部１２の接触面３０を一部切欠する形状とする場合には、接触部１２を上面視でＣ字状の円筒状、換言すると、円筒状の一部がその軸心方向に沿って切欠する形状に形成すればよい。
【０１０３】
また、上述した例では、スタイラスペン１Ａは、案内部１３を接触部１２の上方に位置する端面に設ける構成を説明したがこれに限定されない。例えば、案内部１３を、導電性を有する樹脂フィルムにより形成し、接触部１２の接触面３０に設ける構成であってもよい。
【０１０４】
また、上述した例では、スタイラスペン１Ｂ，１Ｃの案内部７５，７５Ｃは、開口部７４の内周面に円環部７１，７１Ｃと一体に設けられる構成を説明したがこれに限定されない。例えば、スタイラスペン１Ｂ，１Ｃは、導電性を有する樹脂フィルムにより形成された案内部を、接触面７３に固定する構成であってもよい。このような構成とすることで、円環部７１，７１Ｃ（接触部５２，５２Ｃ）を金属材料で形成しても、樹脂フィルムで形成された案内部がタッチパネル１００に接触することから、タッチパネル１００を保護することが可能となる。
【０１０５】
また、上述した例では、スタイラスペン１Ｂ，１Ｃは、連結部材５３にコイルばね５３を用いる構成を説明したがこれに限定されず、連結部材５３は、導電性を有するとともに、胴部５１に対して接触部５２の位置を移動可能であれば、トーションバーや板ばね等であってもよく、また、樹脂材料で形成された棒体であってもよい。この他、本発明の要旨を逸脱しない範囲で種々変形実施可能である。
【符号の説明】
【０１０６】
１，１Ａ，１Ｂ，１Ｃ，１Ｅ，１Ｆ…スタイラスペン、１１…胴部、１２…接触部、１３…案内部、２１…軸部、２２…固定部、２３…キャップ、２４…クリップ、２５…連続部、２７…環状部材、２８…突出部、３０…接触面、３１…溝部、３２…開口部、３５…接着部、３６…表示部、５１…胴部、５２，５２Ｃ，５２Ｄ…接触部、５３…連結部材、６１…軸部、６２…固定部、７１，７１Ｃ，７１Ｄ…円環部、７２，７２Ｃ…固定部、７３…接触面、７４…開口部、７５，７５Ｃ…案内部、８１…胴部、８２…接触部
８２ａ…連続部、８２Ｆ…接触部、８３…連結部材、８５…円環部、８６，８６Ｆ…固定部、８８…接触面、８９…開口部、９０…案内部、９１…開口部、９２…突起部、９２ａ…挿入孔、９３…第１連結部、９４…第２連結部、９４ａ…軸部、９４ｂ…支持部、９５…第３連結部、１００…タッチパネル。
【図１】
2015036894.tif 000003
【図２】
2015036894.tif 000004
【図３】
2015036894.tif 000005
【図４】
2015036894.tif 000006
【図５】
2015036894.tif 000007
【図６】
2015036894.tif 000008
【図７】
2015036894.tif 000009
【図８】
2015036894.tif 000010
【図９】
2015036894.tif 000011
【図１０】
2015036894.tif 000012
【図１１】
2015036894.tif 000013
【図１２】
2015036894.tif 000014
【図１３】
2015036894.tif 000015
【図１４】
2015036894.tif 000016